(57)【特許請求の範囲】
【請求項１】
ベース部と、
前記ベース部に連結された第１のアーム部と、
前記第１のアーム部の先端部の位置を水平方向のみに調整可能な位置調整部と、
前記第１のアーム部の先端部に連結された撮像部と、
前記撮像部の前後方向又は左右方向を補正するために、前記第１のアーム部の先端部で鉛直軸を中心に前記撮像部を回転させる補正部と、を備え、
被撮像体又は前記撮像部内に搭載された撮像系の配置を変更するとき、前記被撮像体と前記撮像系とは、前記被撮像体に設けた複数の第１の基準点と、前記撮像系に設けた複数の第２の基準点と、を結んで形成される立体が略等しくなるように、配置されることを特徴とする画像読取装置。
【請求項２】
ベース部と、
前記ベース部に連結された第１のアーム部と、
前記第１のアーム部の先端部の位置を水平方向のみに調整可能な位置調整部と、
前記第１のアーム部の先端部に連結された撮像部と、
前記撮像部の前後方向又は左右方向を補正するために、前記第１のアーム部の先端部で鉛直軸を中心に前記撮像部を回転させる補正部と、を備え、
被撮像体又は前記撮像部内に搭載された撮像系の配置を変更するとき、前記撮像部の撮像領域を平面から見たときに形成される領域内に設定される領域と前記撮像系とは、その設定領域に設けた複数の第１の基準点と、前記撮像系に設けた複数の第２の基準点と、を結んで形成される立体が略等しくなるように、配置されることを特徴とする画像読取装置。
【請求項３】
前記ベース部に立設される第２のアーム部を備え、
前記第２のアーム部に前記第１のアーム部の一端部が連結されており、
前記第１のアーム部と前記第２のアーム部との連結部、又は前記第２のアーム部と前記ベース部との連結部には、前記位置調整部として第１の水平回転許容部が設けられ、
前記第１のアーム部と前記撮像部との連結部には、前記補正部として第２の水平回転許容部が設けられていることを特徴とする請求項１又は２に記載の画像読取装置。
【請求項４】
前記ベース部に立設される第２のアーム部と、
前記第２のアーム部に一端部が連結され、前記第１のアーム部の一端部に他端部が連結された第３のアーム部と、を備え、
前記第１のアーム部と前記第３のアーム部との連結部には、前記位置調整部として第３の水平回転許容部が設けられ、前記第３の水平回転許容部は、前記被撮像体が矩形状のとき、平面から見て前記被撮像体の向かい合う辺の略中央位置相互を結ぶ直線と、前記被撮像体の一辺に対して約４５°の角度で延びる直線と、の略交点上に配置され、
前記第１のアーム部及び前記第３の水平回転許容部は、前記補正部として機能させることを特徴とする請求項１に記載の画像読取装置。
【請求項５】
前記第３の水平回転許容部は、平面から見て前記第１のアーム部を前記被撮像体の一辺と略平行に配置することを特徴とする請求項４に記載の画像読取装置。
【請求項６】
前記ベース部に立設される第２のアーム部と、
前記第２のアーム部に一端部が連結され、前記第１のアーム部の一端部に他端部が連結された第３のアーム部と、を備え、
前記第１のアーム部と前記第３のアーム部との連結部には、前記位置調整部として第３の水平回転許容部が設けられ、前記第３の水平回転許容部は、前記撮像部の撮像領域を平面から見たときに形成される領域内に設定される矩形領域の向かい合う辺の略中央位置相互を結ぶ直線と、前記矩形領域の一辺に対して約４５°の角度で延びる直線と、の略交点上に配置され、
前記第１のアーム部及び前記第３の水平回転許容部は、前記補正部として機能させることを特徴とする請求項２に記載の画像読取装置。
【請求項７】
前記位置調整部は、前記第１のアーム部の回転を拘束する第１の拘束機構を備えることを特徴とする請求項１乃至６のいずれか１項に記載の画像読取装置。
【請求項８】
前記補正部は、前記撮像部の回転を拘束する第２の拘束機構を備えることを特徴とする請求項１乃至７のいずれか１項に記載の画像読取装置。
【発明の詳細な説明】
【技術分野】
【０００１】
本発明は、画像読取装置に関する。
【背景技術】
【０００２】
一般的な画像読取装置のうち、紙などの媒体（被撮像体）に記載、印字された文字や図形、画像、又は押印された印影などの情報を非接触で読み取って各種処理（文字認識や印鑑照合など）を行うものがある。特に、特許文献１乃至５に開示されているように、簡易に画像を読み取ることができる、スタンド型の画像読取装置が公知である。
【０００３】
これらのスタンド型の画像読取装置は、フラッドベッド型のように原稿を撮像部に密着させることなく、非接触で間接的に原稿を読み取ることができる。このような画像読取装置は、撮像系を内蔵する撮像部、撮像部等を制御する制御部、撮像部を支持するアーム部、アーム部を支持するベース部を備える。なかには、アーム部とベース部との連結部やアーム部と撮像部との連結部に回転許容部を備えるものがある。当該画像読取装置は、制御部からの制御信号に基づいて撮像部内に搭載されているＣＣＤ（Charge Coupled Device Image Sensor）などの撮像素子により、レンズを通過して結像された光が光電変換され、画像として読み取られる。
【先行技術文献】
【特許文献】
【０００４】
【特許文献１】特開平９−２６１５１８号公報
【特許文献２】特開平１１−３１３１９３号公報
【特許文献３】特開２００５−７８００７号公報
【特許文献４】特開平７−２９８２２５号公報
【特許文献５】特開平９−１８１９４３号公報
【発明の概要】
【発明が解決しようとする課題】
【０００５】
特許文献１乃至４の画像読取装置のスタンド型の画像読取装置の構成においては、使用者は机上の左側に画像読取装置を設置し、右側では画像読取装置による画像読取以外の作業を行っている。また、画像読取装置による画像の読み取り作業においては、原稿を画像読取装置の右側から配置している。
【０００６】
しかしながら、左側に帳票入れ等の調度品を設置する環境においては、画像読取装置の直ぐ脇に調度品を置くことがある。この場合、照明の状況などの設置環境の光量の状態によっては、調度品による強い影が読取台上につくられることになり、画像の読み取りに悪影響を与える場合がある。
【０００７】
また、作業者が調度品の帳票等を頻繁に必要とする場合には、画像読取装置のアーム部が邪魔になる。さらに画像読取装置を置くスペースの分だけ調度品の置き場所が遠くなるなどの不便な状況が起り得る。
【０００８】
さらには、作業者の利腕が左腕の場合には、画像読取装置での画像読取以外の作業を左側で行う方が好ましい場合がある。この場合、例えば装置の左側にアーム部がある画像読取装置を作業者の右側に設置した場合、右側から原稿を配置することが不便となり、課題となっていた。
また、この場合、画像読取装置を窓口業務などの顧客と対座するような環境に設置して業務を行うと、作業者と顧客との視野にアーム部が位置することになり、顧客との対応に支障が出てしまい課題となっていた。
つまり、特許文献１乃至４の画像読取装置は、アーム部位置の柔軟性と、装置の運用性に困難を有していた。
【０００９】
特許文献５には、左右の配置変換等に対応する技術的思想が開示されていない。
【００１０】
本発明の目的は、上述した課題を解決する画像読取装置を提供することにある。
【課題を解決するための手段】
【００１１】
本発明に係る画像読取装置は、ベース部と、前記ベース部に連結された第１のアーム部と、前記第１のアーム部の先端部の位置を調整する位置調整部と、前記第１のアーム部の先端部に連結された撮像部と、前記撮像部の前後方向又は左右方向を補正する補正部と、を備え、被撮像体又は前記撮像部内に搭載された撮像系の配置を変更するとき、前記被撮像体と前記撮像系とが、前記被撮像体に設けた複数の第１の基準点と、前記撮像系に設けた複数の第２の基準点と、を結んで形成される立体が略等しくなるように、配置されることを特徴とする。
【００１２】
本発明に係る画像読取装置は、ベース部と、前記ベース部に連結された第１のアーム部と、前記第１のアーム部の先端部の位置を調整する位置調整部と、前記第１のアーム部の先端部に連結された撮像部と、前記撮像部の前後方向又は左右方向を補正する補正部と、を備え、被撮像体又は前記撮像部内に搭載された撮像系の配置を変更するとき、前記撮像部の撮像領域を平面から見たときに形成される領域内に設定される領域と前記撮像系とは、その設定領域に設けた複数の第１の基準点と、前記撮像系に設けた複数の第２の基準点と、を結んで形成される立体が略等しくなるように、配置されることを特徴とする。
【発明の効果】
【００１３】
本発明の画像読取装置は、左右の配置変換や被撮像体の縦横の配置変換に対応することができる。
【図面の簡単な説明】
【００１４】
【図１】本発明の第１の実施の形態の画像読取装置の使用形態を示す斜視図である。
【図２】本発明の第１の実施の形態の画像読取装置を原稿に対して左側に配置し、画像を読み取る際の使用形態を示す平面図である。
【図３】本発明の第１の実施の形態の画像読取装置における、撮像部を模式的に示す図である。
【図４】本発明の第１の実施の形態の画像読取装置における、制御系を示すブロック図である。
【図５】本発明の第１の実施の形態の異なる画像読取装置を原稿に対して左側に配置し、画像を読み取る際の使用形態を示す平面図である。
【図６】本発明の第１の実施の形態の異なる画像読取装置を原稿に対して右側に配置し、画像を読み取る際の使用形態を示す平面図である。
【図７】本発明の第１の実施の形態の異なる画像読取装置を原稿に対して左側に配置し、画像を読み取る際の使用形態を示す平面図である。
【図８】本発明の第１の実施の形態の異なる画像読取装置を原稿に対して右側に配置し、画像を読み取る際の使用形態を示す平面図である。
【図９】本発明の第１の実施の形態の異なる画像読取装置を原稿に対して左側に配置し、画像を読み取る際の使用形態を示す平面図である。
【図１０】本発明の第１の実施の形態の異なる画像読取装置を原稿に対して右側に配置し、画像を読み取る際の使用形態を示す平面図である。
【図１１】本発明の第２の実施の形態の画像読取装置を原稿に対して左側に配置し、画像を読み取る際の使用形態を示す平面図である。
【図１２】本発明の第３の実施の形態の画像読取装置を原稿に対して左側に配置し、画像を読み取る際の使用形態を示す平面図である。
【図１３】本発明の第３の実施の形態の画像読取装置を原稿に対して右側に配置し、画像を読み取る際の使用形態を示す平面図である。
【図１４】本発明の第３の実施の形態の画像読取装置を原稿に対して左側に配置し、画像を読み取る際の異なる使用形態を示す平面図である。
【図１５】本発明の第４の実施の形態の画像読取装置を原稿に対して左側に配置し、画像を読み取る際の使用形態を示す平面図である。
【図１６】本発明の第５の実施の形態の画像読取装置を原稿に対して左側に配置し、画像を読み取る際の使用形態を示す平面図である。
【図１７】本発明の第５の実施の形態の画像読取装置を原稿に対して右側に配置し、画像を読み取る際の使用形態を示す平面図である。
【図１８】本発明の第５の実施の形態の異なる画像読取装置を原稿に対して左側に配置し、画像を読み取る際の使用形態を示す平面図である。
【図１９】本発明の第５の実施の形態の異なる画像読取装置を原稿に対して右側に配置し、画像を読み取る際の使用形態を示す平面図である。
【図２０】本発明の第５の実施の形態の異なる画像読取装置を原稿に対して左側に配置し、画像を読み取る際の使用形態を示す平面図である。
【図２１】本発明の第５の実施の形態の異なる画像読取装置を原稿に対して右側に配置し、画像を読み取る際の使用形態を示す平面図である。
【図２２】本発明の第６の実施の形態の画像読取装置を原稿に対して左側に配置し、画像を読み取る際の使用形態を示す平面図である。
【図２３】本発明の第７の実施の形態の画像読取装置を原稿に対して左側に配置し、画像を読み取る際の使用形態を示す平面図である。
【図２４】本発明の第７の実施の形態の画像読取装置を原稿に対して右側に配置し、画像を読み取る際の使用形態を示す平面図である。
【図２５】本発明の第８の実施の形態の画像読取装置を原稿に対して左側に配置し、画像を読み取る際の使用形態を示す平面図である。
【発明を実施するための形態】
【００１５】
本発明の実施の形態に係る画像読取装置について説明する。但し、本発明が以下の実施の形態に限定される訳ではない。また、説明を明確にするため、以下の記載及び図面は、適宜、簡略化されている。
【００１６】
本発明の実施の形態では、スタンド型の画像読取装置において、原稿を載せる読取台の上方にある撮像部を支えるアーム部を、容易に読取台の右側又は左側に設ける切り替えを可能とする。これにより、使用者に対する心理的な障壁を排除することで、利便性を向上させ、さらに装置設置のレイアウトに対する自由度を拡大する。
【００１７】
また、本発明の実施の形態は、スタンド型の画像読取装置における、読取範囲に対する視野位置調整やピント調整等に際して、煩雑な作業及び調整を不要とする。
【００１８】
＜第１の実施の形態＞
本実施の形態の画像読取装置１００−１は、図１に示すように、ベース部１１０、第１のアーム部１２０、第２のアーム部１３０、位置調整部１４０、撮像部１５０、補正部１６０を備える。ベース部１１０は、図２に示すように、平面から見てＬ字形状とされており、当該ベース部１１０の左右方向に延在する第１辺１１１と当該ベース部１１０の前後方向に延在する第２辺１１２とが直交するように連結されている。但し、ベース部１１０は画像読取装置１００−１を支持することができる形状であれば良い。ベース部１１０内には、図示例のように、被撮像体として例えば原稿１０が配置される。原稿１０は、例えば長辺と短辺とを有する矩形状（但し、正方形状でも良い。）の紙とし、図３に示すように文字が記載又は印字されている。原稿１０は、読取台２０の上面の所定の箇所に載置される。例えば、原稿１０は、図２に示すように、ベース部１１０の第１辺１１１と略平行に原稿１０の一辺が配置され、ベース部１１０の第２辺１１２と略平行に原稿１０における当該一辺と角部を挟んで位置する他辺が配置される。
【００１９】
第１のアーム部１２０は、第２のアーム部１３０を介してベース部１１０に連結されている。すなわち、第１のアーム部１２０は、略水平方向に延在する。第１のアーム部１２０の一端部は、第２のアーム部１３０の上端部に、位置調整部１４０を介して略水平方向に回転可能に連結されている。第１のアーム部１２０の他端部（先端部）は、撮像部１５０に補正部１６０を介して連結されている。なお、第１のアーム部１２０の長さは、撮像部１５０が備える反射鏡やレンズ等の配置によって適宜、設定される。本実施の形態では、図２に示すように、平面から見て原稿１０の対角線の交点上に撮像部１５０を略配置することができる長さに設定される。
【００２０】
第２のアーム部１３０は、ベース部１１０の角部（但し、第２のアーム部１３０のベース部１１０への設置位置は特に限定されない。）から立設されている。すなわち、第２のアーム部１３０は、支柱として機能する。なお、第２のアーム部１３０の長さ（高さ）は、撮像部１５０が備えるレンズの形状等によって適宜、設定される。
【００２１】
位置調整部１４０は、第１のアーム部１２０の先端部の位置を調整する。すなわち、位置調整部１４０は、第１のアーム部１２０の一端部と第２のアーム部１３０の上端部との連結部に設けられている。位置調整部１４０は、第１のアーム部１２０の略水平方向への回転を許容する。つまり、位置調整部１４０は、第１の水平回転許容部である。位置調整部１４０は、例えば第２のアーム部１３０の上端部から鉛直上方に突出するピンを、第１のアーム部１２０の一端部に形成された嵌合穴に嵌め込むことで、第１のアーム部１２０の略水平方向への回転を許容する。ちなみに、位置調整部１４０は、第１のアーム部１２０の略水平方向への回転を拘束する拘束機構を備えていることが好ましい。拘束機構は、例えば、第１のアーム部１２０の嵌合穴を成すフランジにネジを捻じ込み、当該ネジの先端部を第２のアーム部１３０のピンに押し付けることで、第１のアーム部１２０の略水平方向への回転を拘束する。これにより、第１のアーム部１２０の他端部に連結された撮像部１５０の位置が振られることなく、精度良く画像を取得することができる。
【００２２】
撮像部１５０は、図３に示すように、撮像系としてＣＣＤやＣＭＯＳ（Complementary Metal Oxide Semiconductor）等の光電変換によって画像を読み取る撮像素子１５１、撮像素子１５１に原稿１０の画像の結像を導くレンズ１５２等を備える。撮像部１５０は、当該撮像系が後述する例えば筒状部材（筐体）に搭載されて成る。撮像素子１５１は、少なくとも縦に配置した原稿１０の全領域を画像として読み取ることができる素子配置とされている。撮像素子１５１は、平面から見て下方に配置された原稿１０の画像を読み取ることができるように、撮像面が下方に向かって配置されている。レンズ１５２は、原稿１０と撮像素子１５１との間に配置されている。なお、反射鏡を用いることで、撮像素子１５１やレンズ１５２の配置は適宜、変更される。
【００２３】
撮像素子１５１は、ラインセンサ、エリアセンサのどちらでも良い。撮像部１５０は、撮像素子１５１としてラインセンサを用いる場合、ラインセンサの素子が並ぶ方向と直交方向に当該ラインセンサを移動させる駆動機構を備える。または、ラインセンサの素子が並ぶ方向と直交方向に当該反射鏡を移動させる構成でも良い。このような撮像系を備える撮像部１５０は、後述するように平面から見て原稿１０の対角線の交点上に配置された際に、原稿１０に対してピントが合うように構成されている。
【００２４】
撮像部１５０は、図４に示すように、制御部１７０の制御信号に基づいて画像を読み取る。制御部１７０は、読み取った画像を記憶部１７１に格納する。制御部１７０は、例えば外部バスを介してパーソナルコンピュータ等の情報処理装置２００に接続されている。制御部１７０は、使用者の当該情報処理装置２００からの入力に基づいて、制御される。制御部１７０は、読み取った画像を記憶部１７１から情報処理装置２００に出力する。これにより、情報処理装置２００は、例えば予め記憶されている文字と、読み取った画像に示された文字とをパターンマッチング等の処理をして、文字認識などを行う。
【００２５】
補正部１６０は、撮像部１５０の前後方向又は左右方向を補正する。すなわち、補正部１６０は、第１のアーム部１２０の他端部と撮像部１５０との連結部に設けられている。補正部１６０は、撮像部１５０の略水平方向への回転を許容する。つまり、補正部１６０は、第２の水平回転許容部である。例えば撮像部１５０における撮像系が筒状部材の内部に収納されており、当該筒状部材が第１のアーム部１２０の他端部に形成した嵌合穴に嵌め込まれている場合、補正部１６０として、筒状部材の外周に周方向へ突出する突出部を形成し、さらに第１のアーム部１２０の他端部に形成した嵌合穴の内周に周方向へ凹んだ溝部を形成する。当該突出部を溝部に嵌め込むことで、補正部１６０は、撮像部１５０の略水平方向への回転を許容する。ちなみに、補正部１６０は、撮像部１５０の略水平方向への回転を拘束する拘束機構を備えていることが好ましい。拘束機構は、例えば第１のアーム部１２０の嵌合穴を成すフランジにネジを捻じ込み、当該ネジの先端部を撮像部１５０における撮像系を格納する筒状部材に押し付けることで、撮像部１５０の略水平方向への回転を拘束する。これにより、撮像部１５０の位置がずれることなく、精度良く画像を読み取ることができる。
【００２６】
このような構成の画像読取装置１００−１は、図１の左側に示すように、一形態として平面から見て原稿１０に対して第２のアーム部１３０が左前方に配置されるように配置する。ここでは、平面から見て原稿１０が縦に（前側に原稿１０の前方側が、後側に原稿１０の後方側が）配置されるように、原稿１０を読取台２０の上面に載置する。そして、位置調整部１４０により第１のアーム部１２０を略水平方向に回転させて、平面から見て原稿１０の対角線の交点上に撮像部１５０を配置する。このとき、平面から見て撮像部１５０における撮像素子１５１の前後左右方向が原稿１０の前後左右方向と略一致するように、補正部１６０により撮像部１５０を略水平方向に回転させる。すなわち、平面から見て原稿１０の前後左右方向と、撮像素子１５１が読み取った画像の前後左右方向とを一致させることが好ましい。そのため、図２に示すように、平面から見て矢印方向が撮像素子１５１の前後方向を示す場合、当該矢印方向が原稿１０の前後方向と一致するように、補正部１６０により撮像部１５０を略水平方向に回転させる。これにより、画像読取装置１００−１は、原稿１０に対して第２のアーム部１３０を左前方に配置した状態で、縦に配置した原稿１０の全領域を画像として、撮像部１５０で読み取ることができる。しかも、撮像部１５０における撮像素子１５１の前後左右方向と原稿１０の前後左右方向とが一致している。そのため、読み取った画像の前後左右方向と原稿１０の前後左右方向とを一致させることができる。
【００２７】
他の形態として、図２の破線で示すように、平面から見て原稿１０が横に（左側に原稿１０の前方側が、右側に原稿１０の後方側が）配置されるように、原稿１０を読取台２０の上面に載置する場合、位置調整部１４０により第１のアーム部１２０を略水平方向に回転させて、原稿１０の対角線の交点上に撮像部１５０を配置する。そして、補正部１６０により撮像部１５０を略水平方向に回転させて、平面から見て原稿１０の前後左右方向と、撮像部１５０における撮像素子１５１の前後左右方向とを一致させる。すなわち、原稿１０の任意の４カ所（例えば四隅。但し、３カ所以上であれば良い。）に第１の基準点Ｐ１〜Ｐ４を設ける。さらに撮像部１５０内に搭載された撮像系の例えば撮像素子１５１における任意の４カ所（但し、３カ所以上であれば良い。）に第２の基準点Ｑ１〜Ｑ４を設ける。そして、第１の基準点Ｐ１と第２の基準点Ｑ１とを結び、同様に対応する基準点相互を結ぶ。これにより、ほぼ四角錐形状の立体Ｒ１−１が形成される。また、具体的な図示を省略するが、原稿１０が載置される読取台２０の上面の任意の４カ所（例えば原稿１０の四隅が配置される位置。）に第３の基準点Ｓ１〜Ｓ４を設ける。そして、立体Ｒ１−１と同様に、第３の基準点Ｓ１〜Ｓ４と、対応する第２の基準点Ｑ１〜Ｑ４と、を結びＲ１−１'を形成する。但し、第３の基準点Ｓ１〜Ｓ４は、撮像系のピント位置等によって適宜、変更される。
【００２８】
この立体Ｒ１−１の形状は、原稿１０を縦に配置した際と、原稿１０を横に配置した際とで維持される。また、この立体Ｒ１−１'の形状は、原稿１０を縦に配置した際と、原稿１０を横に配置した際とで維持される。つまり、撮像系と原稿１０との相対的な位置関係が変わらない。このとき、読取台２０は、原稿１０の配置の変更前と変更後で、立体Ｒ１−１、Ｒ１−１'がそれぞれ等しくなるように、原稿１０の回転と合わせて回転させる。
【００２９】
これにより、画像読取装置１００−１は、原稿１０に対して第２のアーム部１３０を左前方に配置した状態で、横に配置した原稿１０の全領域を画像として、撮像部１５０で読み取ることができる。しかも、撮像部１５０における撮像素子１５１の前後左右方向と原稿１０の前後左右方向とが一致している。そのため、読み取った画像の前後左右方向と原稿１０の前後左右方向とを一致させることができる。特に、読取台２０の上面が傾斜していても、原稿１０を縦に配置したときと、原稿１０を横に配置したときとで読取台２０の上面の傾斜に起因する画像の歪みを等しくすることができる。
【００３０】
さらに他の形態として、図１の右側に示すように、平面から見て原稿１０に対して第２のアーム部１３０を右前方に配置する場合も、上述の原稿１０に対して第２のアーム部１３０を左前方に配置する場合と同様に、ベース部１１０内に原稿１０を配置する。そして、位置調整部１４０により第２のアーム部１３０を略水平方向に回転させて、原稿１０の対角線の交点上に撮像部１５０を配置する。さらに補正部１６０により撮像部１５０を略水平方向に回転させて、原稿１０の前後左右方向と、撮像部１５０における撮像素子１５１の前後左右方向とを一致させる。このとき、立体Ｒ１−１の形状を維持するように、原稿１０と撮像部１５０における撮像素子１５１との配置関係が維持される。これにより、画像読取装置１００−１は、原稿１０に対して第２のアーム部１３０を右前方に配置した状態で、縦又は横に配置した原稿１０の全領域を画像として、撮像部１５０で読み取ることができる。しかも、撮像部１５０における撮像素子１５１の前後左右方向と原稿１０の前後左右方向とが一致している。そのため、読み取った画像の前後左右方向と原稿１０の前後左右方向とを一致させることができる。
【００３１】
ここで、画像読取装置の左右の配置に対応することができるように、左置きタイプと右置きタイプとの２つの異なったタイプを別々に設計・生産することも考えられる。しかし、撮像系の構成が異なってしまう。そのため、それぞれのタイプでの光学系を設計する必要があり、設計・製造が複雑になるなどコストの面から簡単とはいえない。
一方で、原稿の縦横の配置変換に対応することができるように、撮像部が読み取ることのできる範囲を余分にとって、広範囲を撮影することで対応すると、レンズの径を大きくするなどの対応が必要であり、これに伴って撮像部が大型化する。
【００３２】
それに対して、上述の構成の画像読取装置１００−１は、当該画像読取装置１００−１の左右の配置変換に対応することができる。そのため、使用者の利腕や机上の配置などに簡単に対応することができ、利便性が向上する。しかも、第１のアーム部１２０は第２のアーム部１３０に略水平方向に回転可能な構成で連結されている。そのため、例えば使用者と対面式の接客業において、画像読取装置１００−１を用いる場合、使用者が顧客を接客する際に第１のアーム部１２０を平面から見て前後方向に配置することで、使用者と顧客との間から第１のアーム部１２０や撮像部１５０を排除することができる。
【００３３】
さらに画像読取装置１００−１は、光学系の設計は１つ分で良いため、左置きタイプと右置きタイプとの２タイプを別々に設計・生産する場合と比較して設計・生産コストが安い。しかも、画像読取装置１００−１が、例えば後述のように光学的に歪みを補正する撮像系の場合、開発・生産とも効率が向上する。また、画像読取装置１００−１が、例えば後述するようにディジタル処理で歪みを補正する撮像系の場合でも、ある程度の光学系の精度が要求されるため、同様に開発・生産とも効率が向上する。
【００３４】
加えて、画像読取装置１００−１は、当該画像読取装置１００−１の左右の配置変換や原稿１０の縦横の配置変換に対応することができる。そのため、撮像素子１５１は、縦に配置した原稿１０の全領域を画像として読み取ることができる素子数で足り、コストの削減に寄与する。
【００３５】
しかも、上述のように立体Ｒ１−１（Ｒ１−１'）の形状が崩れないので、所定の位置に対してピントが合うように、撮像素子１５１とレンズ１５２との距離が一度設定されていれば、ピントを合わす機構を省略することができる。したがって、画像読取装置の構成を簡単にすることができる。
【００３６】
ところで、撮像部１５０で読み取った画像は、レンズの形状等に起因して台形や樽型等に歪む場合がある。このままでは原稿に書かれた文字なども歪んでいるため、正しく文字認識ができない場合があるので、歪んだ画像を補正する必要がある。
【００３７】
対処策としては、レンズや反射鏡などを用いて光学的に歪みを補正して撮像する補正と、補正しないまま撮像し、撮像したデータをディジタル処理（画像処理など）によって補正する補正と、これらの２つの方法を組み合わせたものなどがある。
【００３８】
ディジタル処理で歪みを補正する方法は、読み取ったディジタル画像に対して画像処理にて補正を行うため、画像処理に計算時間が必要となり、補正に時間が掛かる。
【００３９】
さらに、ディジタル処理で歪みを補正する方法は、装置使用前に変換パラメータを導出する必要がある場合があり、この作業が煩雑となる。但し、本実施の形態の画像読取装置１００−１は、上述のように撮像系と原稿１０との相対的な位置が変わらないので、例えば装置を左置きにして原稿１０を縦置きにした場合の変換パラメータを一度導出すれば、この他は同じ変換パラメータで対応可能なため、パラメータ導出は一度で良い。
【００４０】
ディジタル処理で歪みを補正する方法において、読み取った画像の中の原稿の四隅やベリファイマークなどを補正に使用する場合、傾いた原稿の四隅やベリファイマークなどのいずれかが読み取り範囲から外れてしまえば、正確に補正処理が行えない場合があるなど、画像データの欠落が生じる場合がある。
【００４１】
さらに、ディジタル処理で歪みを補正する方法は、画像を座標変換することにより画像の傾きを修正する方法であることから、座標変換による補間処理が発生し、画質が劣化する。
【００４２】
加えて、ディジタル処理で歪みを補正する方法は、所定の計算をして幾何学歪みやぼけ特性を補正するため、歪みの大きい箇所ほど補正後のデータの信頼性や証拠能力が低くなる。例えば、エリアセンサで原稿に対して斜め方向から読み取った画像を正面から見た画像に幾何学変換する場合、歪みの大きい箇所ほど正面から見た画像に変換するときの処理において補間を要する画素数が増えるため、補間後のデータの信頼性が低くなる。また、補間のために、本来ないデータが生成されるため、偽信号として現れることもある。
【００４３】
光学的に歪みを補正する方法は、上述したディジタル処理で歪みを補正する方法の欠点を克服することができ、補間処理による画質の劣化が起こらず、また、証拠能力の低下も発生しない。さらに、光学的に歪みを補正する方法は、補正に要する時間も、ディジタル処理で歪みを補正する方法と比較して高速である。
【００４４】
加えて、ディジタル処理で歪みを補正する方法は、事前に補正のために必要となるパラメータ計算等の装置調整が必要となる場合があるが、光学的に歪みを補正する方法は、補正のためのパラメータ計算が必要ないため、装置調整の際の煩雑な作業が必要ない。
また、光学的に歪みを補正する方法は、画像を読み取った時点で歪みが既に補正されているため、画像の歪みは被撮像体によらず必ず補正される。
【００４５】
その一方で、光学的に歪みを補正する方法は、レンズや反射鏡などに要求される性能が高くなるため、光学系の設計が困難であったり、レンズや反射鏡などに要求される性能が高くなるため、部品コストが高くなったりする。さらに光学的に歪みを補正する方法は、レンズや反射鏡などに要求される組立精度が高くなるため、これらを搭載する撮像系の生産が困難になる。また、光学的に歪みを補正する方法は、視野調整やピント調整などに精密な調整を要し、組立に時間を要するため生産コストが掛かる。
【００４６】
ディジタル処理で歪みを補正する方法は、上述した光学的に歪みを補正する方法の欠点を克服することができ、例えば、ある程度ピントが合っている撮像系で撮像された画像であれば歪みを補正できるため、光学系に要求される性能は、光学的に歪みを補正する方法の場合と比較して一般的に緩和される。
【００４７】
さらにディジタル処理で歪みを補正する方法は、撮像される画像の角度が想定の範囲内であれば多少ずれても良く、光学系にはある程度の精度があれば良いため、生産ラインでの組立作業などが、光学的に歪みを補正する方法と比較して一般的に容易である。
【００４８】
なお、上述の画像読取装置１００−１の撮像部１５０は、原稿１０の対角線の交点上に配置されるが、この限りでない。撮像部１５０は、図５に例示する画像読取装置１００−２のように、原稿１０の対角線の交点からずれた位置に配置されても良い。本実施の形態の撮像部１５０は、平面から見て原稿１０における向かい合う短辺の略中央位置相互を結ぶ直線Ｌ１上に配置される。このような場合も、図６に示すように原稿１０に対して第２のアーム部１３０を右側に配置して当該原稿１０を撮像する際には、第１の基準点と第２の基準点とを結んで形成される立体が、図５に示すように原稿１０に対して第２のアーム部１３０を左側に配置した際に形成される立体Ｒ１−２と等しくなるように、撮像部１５０を配置すれば良い。また、図５に示すように原稿１０の配置の変更前と変更後で立体Ｒ１−２がそれぞれ等しくなるように撮像部１５０を配置すれば良い。
【００４９】
また、上述の画像読取装置１００−１の第２のアーム部１３０は、ベース部１１０の角部から立設されているが、この限りでない。第２のアーム部１３０は、図７に例示する画像読取装置１００−３のように、ベース部１１０の角部からずれた位置に立設されても良い。このような場合も、図８に示すように原稿１０に対して第２のアーム部１３０を右側に配置して当該原稿１０を撮像する際には、第１の基準点と第２の基準点とを結んで形成される立体が、原稿１０に対して第２のアーム部１３０を左側に配置した際に形成される立体Ｒ１−３と等しくなるように、撮像部１５０を配置すれば良い。また、図７に示すように原稿１０の配置の変更前と変更後で立体Ｒ１−３がそれぞれ等しくなるように撮像部１５０を配置すれば良い。
【００５０】
さらに、上述の画像読取装置１００−１の第２のアーム部１３０は、略上方へ延在しているが、この限りでない。第２のアーム部１３０は、図９に例示する画像読取装置１００−４のように、原稿１０が配置される領域に向かって湾曲する形状でも良い。このような場合も、図１０に示すように原稿１０に対して第２のアーム部１３０を右側に配置して当該原稿１０を撮像する際には、第１の基準点と第２の基準点とを結んで形成される立体が、原稿１０に対して第２のアーム部１３０を左側に配置した際に形成される立体Ｒ１−４と等しくなるように、撮像部１５０を配置すれば良い。また、図９に示すように原稿１０の配置の変更前と変更後で立体Ｒ１−４がそれぞれ等しくなるように撮像部１５０を配置すれば良い。
【００５１】
＜第２の実施の形態＞
本実施の形態の画像読取装置１０１は、図１１に示すように、第１の実施の形態の画像読取装置と略同様の構成とされているが、撮像部１５０が配置される基準が異なる。
【００５２】
すなわち、図１１に示すように、撮像部１５０の撮像領域を平面から見たときに形成される領域Ｒ１００内に設定される領域（本実施の形態では矩形領域であるが、形状は特に限定しない。）Ｒ１１０（例えば第１の実施の形態のように原稿が配置される領域）の任意の４カ所（例えば四隅。但し、３カ所以上であれば良い。）に設けられる第１の基準点Ｐ１〜Ｐ４と、撮像部１５０内に搭載された撮像系の例えば撮像素子１５１における任意の４カ所（但し、３カ所以上であれば良い。）に設けられる第２の基準点Ｑ１〜Ｑ４と、をそれぞれ結んで形成される立体Ｒ２が、領域Ｒ１００に対する領域Ｒ１１０の設定位置が共通する限りにおいて、当該領域Ｒ１１０の位置に応じて略等しくなるように、撮像部１５０が配置される。なお、領域Ｒ１１０は、撮像される原稿の大きさや形状などに応じて、適宜設定される。ここで、領域Ｒ１００は、何ら遮られる物（第２のアーム部１３０等）が無い状態での撮像部１５０の撮像領域における所定の高さ位置の領域であり、当該領域は平面領域であることが好ましい。
【００５３】
これにより、領域Ｒ１１０の位置に応じて撮像素子１５１の前後左右方向と、矩形領域Ｒ１１０の前後左右方向（例えば、本実施の形態では領域Ｒ１１０の前側を第１の基準点Ｐ１、Ｐ２側、後側を第１の基準点Ｐ３、Ｐ４側、左側を第１の基準点Ｐ１、Ｐ３側、右側を第１の基準点Ｐ２、Ｐ４側とする。）とを一致させることができる。そのため、少なくとも領域Ｒ１１０内において当該領域１１０の前後左右方向と原稿１０の前後左右方向とを等しく配置すると、読み取った画像の前後左右方向と原稿１０の前後左右方向とを一致させることができる。ここで、読み取った画像は領域Ｒ１００に対応するため、読み取った画像から原稿１０が撮像されている領域を抽出する。
【００５４】
なお、図１１では、原稿１０に対して第２のアーム部１３０を左側に配置した場合を説明したが、第１の実施の形態と同様に、原稿１０に対して第２のアーム部１３０を右側に配置しても、立体Ｒ２の形状を略等しく維持することができるため、少なくとも領域Ｒ１１０内において当該領域１１０の前後左右方向と原稿１０の前後左右方向とを等しく配置すると、読み取った画像の前後左右方向と原稿１０の前後左右方向とを一致させることができる。
【００５５】
ちなみに、上述の説明では、図２に示す画像読取装置１００−１と略同様の構成の画像読取装置１０１を例示したが、図５に示す画像読取装置１００−２や図７に示す画像読取装置１００−３、更には図９に示す画像読取装置１００−４と略同様の構成とすることができるが、説明が重複するため省略する。
要するに、第２の実施の形態においては、少なくとも立体Ｒ２の形状が維持されるように撮像部１５０が配置されれば良い。
【００５６】
＜第３の実施の形態＞
本実施の形態の画像読取装置１０２は、図１２に示すように、第１の実施の形態の画像読取装置と略同様の構成とされているが、第１のアーム部１２０の長さや撮像部１５０の構成が異なり、使用形態が異なる。
【００５７】
すなわち、第１のアーム部１２０の長さは、原稿１０の短辺の長さの略半分の長さとされる。本実施の形態では、図１２の実線で示すように、平面から見て原稿１０を縦に配置した場合、ベース部１１０の左右方向に延在する第１辺１１１の上方に第１のアーム部１２０を配置する。このとき、平面から見て撮像部１５０は原稿１０における向かい合う短辺の略中央位置相互を結ぶ直線Ｌ１上に配置される。そして、補正部１６０により撮像部１５０を略水平方向に回転させ、撮像部１５０における撮像素子１５１の前後左右方向を原稿１０の前後左右方向と一致させる。このとき、撮像部１５０は、平面から見て原稿１０を斜め上方から撮像することになるが、原稿１０に対してピントが合うように構成される。これにより、画像読取装置１０２は、原稿１０に対して第２のアーム部１３０を左前方に配置した状態で、縦に配置した原稿１０の全領域を画像として、撮像部１５０で読み取ることができる。しかも、撮像部１５０における撮像素子１５１の前後左右方向と原稿１０の前後左右方向とが一致している。そのため、読み取った画像の前後左右方向と原稿１０の前後左右方向とを一致させることができる。
【００５８】
一方、図１２の破線で示すように、平面から見て原稿１０を横に配置した場合、ベース部１１０の前後方向に延在する第２辺１１２の上方に第１のアーム部１２０を配置する。このとき、平面から見て撮像部１５０は原稿１０における向かい合う短辺の略中央位置相互を結ぶ直線Ｌ１上に配置される。そして、補正部１６０により撮像部１５０を略水平方向に回転させ、撮像部１５０における撮像素子１５１の前後左右方向を原稿１０の前後左右方向と一致させる。すなわち、本実施の形態でも、原稿１０の任意の４カ所（例えば四隅。但し、３カ所以上であれば良い。）に第１の基準点Ｐ１〜Ｐ４を設ける。さらに撮像部１５０内に搭載された撮像系の例えば撮像素子１５１における任意の４カ所（但し、３カ所以上であれば良い。）に第２の基準点Ｑ１〜Ｑ４を設ける。そして、第１の基準点Ｐ１と第２の基準点Ｑ１とを結び、同様に対応する基準点相互を結ぶ。これにより、ほぼ四角錐形状の立体Ｒ３が形成される。また、具体的な図示を省略するが、原稿１０が載置される読取台２０の上面の任意の４カ所（例えば原稿１０の四隅が配置される位置）に第３の基準点Ｓ１〜Ｓ４を設ける。そして、立体Ｒ３と同様に、第３の基準点Ｓ１〜Ｓ４と、対応する第２の基準点Ｑ１〜Ｑ４と、を結びＲ３'を形成する。但し、第３の基準点Ｓ１〜Ｓ４は、撮像系のピント位置等によって適宜、変更される。
【００５９】
この立体Ｒ３、Ｒ３'の形状はそれぞれ、原稿１０を縦に配置した際と、原稿１０を横に配置した際とで維持される。つまり、撮像系と原稿１０との相対的な位置関係が変わらない。このとき、読取台２０は、原稿１０の配置の変更前と変更後で、立体Ｒ３、Ｒ３'がそれぞれ等しくなるように、原稿１０の回転と合わせて回転させる。
【００６０】
これにより、画像読取装置１０２は、原稿１０に対して第２のアーム部１３０を左前方に配置した状態で、横に配置した原稿１０の全領域を画像として、撮像部１５０で読み取ることができる。しかも、撮像部１５０における撮像素子１５１の前後左右方向と原稿１０の前後左右方向とが一致している。そのため、読み取った画像の前後左右方向と原稿１０の前後左右方向とを一致させることができる。
【００６１】
さらに、図１３に示すように、平面から見て原稿１０に対して第２のアーム部１３０を右前方に配置する場合も、上述の原稿１０に対して第２のアーム部１３０を左前方に配置する場合と同様に、ベース部１１０内に原稿１０を配置する。そして、位置調整部１４０により第１のアーム部１２０を略水平方向に回転させて、第１のアーム部１２０をベース部１１０の第１辺１１１又は第２辺１１２上に配置する。さらに補正部１６０により撮像部１５０を略水平方向に回転させて、原稿１０の前後左右方向と、撮像部１５０における撮像素子１５１の前後左右方向とを一致させる。このとき、立体Ｒ３の形状を維持するように、原稿１０と撮像部１５０における撮像素子１５１との配置関係が維持される。これにより、画像読取装置１０２は、原稿１０に対して第２のアーム部１３０を右前方に配置した状態で、縦又は横に配置した原稿１０の全領域を画像として、撮像部１５０で読み取ることができる。しかも、撮像部１５０における撮像素子１５１の前後左右方向と原稿１０の前後左右方向とが一致している。そのため、読み取った画像の前後左右方向と原稿１０の前後左右方向とを一致させることができる。
【００６２】
このように画像読取装置１０２も、当該画像読取装置１０２の左右の配置変換や原稿１０の縦横の配置変換に対応することができるので、第１の実施の形態の画像読取装置と同様の効果を享受することができる。
【００６３】
上述の形態では、第１のアーム部１２０の延在方向を原稿１０の短辺方向と一致させたが、図１４に示すように、第１のアーム部１２０の延在方向を原稿１０の長辺方向と一致させても良い。このとき、第１のアーム部１２０の長さは、原稿１０の長辺の長さの略半分とされ、平面から見て撮像部１５０は原稿１０における向かい合う長辺の略中央位置相互を結ぶ直線に配置される。この場合、撮像部１５０における撮像素子１５１の前後方向と原稿１０の前後方向とは直交するように相互が配置されており、左右の配置変換や原稿１０の縦横置きの前後で、撮像部１５０から見た原稿１０の前後方向が逆になる。よって、撮像部１５０で読み取った画像は、原稿１０に対して前後方向が反転した画像となる。したがって、画像読取装置１０２の制御部１７０又は画像が入力される情報処理装置２００で、読み取った画像を反転処理する必要があるが、画像を単に反転処理する場合は、当該画像の劣化がなく、しかも高速に処理することができる。
【００６４】
＜第４の実施の形態＞
本実施の形態の画像読取装置１０３は、図１５に示すように、第３の実施の形態の画像読取装置と略同様の構成とされているが、撮像部１５０が配置される基準が異なる。
【００６５】
すなわち、本実施の形態の画像読取装置１０３は、図１２に示す画像読取装置１０２と略同様の構成とされているが、図１５に示すように、平面から見て撮像部１５０が、当該撮像部１５０の撮像領域を平面から見たときに形成される領域Ｒ１００内における所定の矩形領域Ｒ１１０（例えば第３の実施の形態のように原稿が配置される領域）の向かい合う辺の略中央位置相互を結ぶ直線Ｌ３上に配置される。なお、矩形領域Ｒ１１０は、撮像される原稿の大きさや形状などに応じて、適宜設定される。ここで、領域Ｒ１００は、何ら遮られる物（第２のアーム部１３０等）が無い状態での撮像部１５０の撮像領域における所定の高さ位置の領域であり、当該領域は平面領域であることが好ましい。
【００６６】
具体的に云うと、第１のアーム部１２０の長さが、平面から見て他端部が矩形領域Ｒ１１０における向かい合う短辺の略中央位置相互を結ぶ直線Ｌ３上に配置されるように設定される。
【００６７】
これにより、撮像部１５０をベース部１１０の第１辺１１１上に配置した時と第２辺１１２上に配置した時とで、撮像素子１５１の前後左右方向と、矩形領域Ｒ１１０の前後左右方向（例えば、本実施の形態では領域Ｒ１１０の前側を第１の基準点Ｐ１、Ｐ２側、後側を第１の基準点Ｐ３、Ｐ４側、左側を第１の基準点Ｐ１、Ｐ３側、右側を第１の基準点Ｐ２、Ｐ４側とする。）とを一致させることができる。そのため、少なくとも領域Ｒ１１０内において当該領域１１０の前後左右方向と原稿１０の前後左右方向とを等しく配置すると、読み取った画像の前後左右方向と原稿１０の前後左右方向とを一致させることができる。ここで、読み取った画像は領域Ｒ１００に対応するため、読み取った画像から原稿１０が撮像されている領域を抽出する。
【００６８】
なお、図１５では、原稿１０に対して第２のアーム部１３０を左側に配置した場合を説明したが、第３の実施の形態と同様に、原稿１０に対して第２のアーム部１３０を右側に配置しても、立体Ｒ４の形状を略等しく維持することができる。また、図１５では、第１のアーム部１２０の他端部が矩形領域Ｒ１１０における向かい合う短辺の略中央位置相互を結ぶ直線Ｌ３上に配置されるように、第１のアーム部１２０の長さを設定したが、第３の実施の形態と同様に、矩形領域Ｒ１１０における向かい合う長辺の略中央位置相互を結ぶ直線上に配置されるように、第１のアーム部１２０の長さを設定しても良い。
【００６９】
＜第５の実施の形態＞
本実施の形態の画像読取装置１０４−１は、図１６に示すように、第１の実施の形態の画像読取装置と略同様の構成とされているが、第１のアーム部１２０のみが略水平方向に回転する構成とされている。
【００７０】
すなわち、画像読取装置１０４−１は、第３のアーム部１８０を備える。第３のアーム部１８０の一端部は、第２のアーム部１３０の上端部に連結されている。第３のアーム部１８０は、平面から見てベース部１１０の左右方向に延在する第１辺１１１又は前後方向に延在する第２辺１１２に対して約４５°の角度で配置されている。但し、ベース部１１０がＬ字形状でない場合、第３のアーム部１８０は原稿１０の一辺に対して約４５°の角度で配置される。第３のアーム部１８０は、略水平方向に延在する。第３のアーム部１８０の長さは、平面から見て他端部が原稿１０における向かい合う短辺の略中央位置相互を結ぶ直線Ｌ１上に配置されるように設定される。第３のアーム部１８０の他端部は、位置調整部（第３の水平回転許容部）１４０を介して第１のアーム部１２０の一端部が略水平方向に回転可能に連結されている。詳細には、平面から見て位置調整部１４０（即ち、第１のアーム部１２０の一端部の回転中心（好ましくは回転軸））は、原稿１０における向かい合う短辺の略中央位置を結ぶ直線Ｌ１と、原稿１０の一辺に対して約４５°（即ちベース部１１０の第１辺１１１又は第２辺１１２に対して約４５°）の角度で延びる直線Ｌ２と、の略交点上に配置される。
【００７１】
第１のアーム部１２０の長さは、位置調整部１４０により第１のアーム部１２０を略水平方向に回転させ、第１のアーム部１２０をベース部１１０の第１辺１１１又は第２辺１１２の一方の辺と平行に配置させた際に、平面から見て原稿１０の対角線の交点上に撮像部１５０が配置されるように設定されている。これにより、図１６に示すように、平面から見て原稿１０を縦に配置したとき、及び原稿１０を横に配置したとき共に、撮像部１５０を原稿１０の対角線の交点上に配置することができる。第１のアーム部１２０の他端部には、撮像部１５０が連結されている。撮像部１５０における撮像素子１５１の前後方向が第１のアーム部１２０の一端部から他端部に向かうように、撮像部１５０は第１のアーム部１２０の他端部に固定される。このとき、撮像部１５０は、原稿１０に対してピントが合うように構成されている。なお、後述するように、撮像部１５０は原稿１０の対角線の交点上に必ずしも配置する必要がなく、撮像系のレンズや反射鏡などの配置で適宜、設計される。そのため、各アーム部の長さも、それに合わせて適宜、変更される。
【００７２】
このような構成の画像読取装置１０４−１は、図１６の実線で示すように、一形態として原稿１０に対して第２のアーム部１３０が左前方に配置されるように配置する。ここでは、平面から見て原稿１０を縦に配置する。そして、位置調整部１４０により第１のアーム部１２０を略水平方向に回転させて、第１のアーム部１２０をベース部１１０の第２辺１１２と略平行に配置させ、原稿１０の対角線の交点上に撮像部１５０を配置する。このとき、平面から見て撮像部１５０における撮像素子１５１の前後左右方向と原稿１０の前後左右方向とを略一致させることができる。すなわち、本実施の形態の画像読取装置１０４−１は、第１のアーム部１２０及び位置調整部１４０が補正部１６０として機能することになる。これにより、画像読取装置１０４−１は、原稿１０に対して第２のアーム部１３０を左前方に配置した状態で、縦に配置した原稿１０の全領域を画像として、撮像部１５０で読み取ることができる。しかも、撮像部１５０における撮像素子１５１の前後左右方向と原稿１０の前後左右方向とが一致している。そのため、読み取った画像の前後左右方向と原稿１０の前後左右方向とを一致させることができる。
【００７３】
他の形態として、図１６の破線で示すように、平面から見て原稿１０を横に配置する場合、位置調整部１４０により第１のアーム部１２０を略水平方向に回転させて、第１のアーム部１２０をベース部１１０の第１辺１１１と略平行に配置させ、原稿１０の対角線の交点上に撮像部１５０を配置する。このとき、平面から見て撮像部１５０における撮像素子１５１の前後左右方向と原稿１０の前後左右方向とを略一致させることができる。すなわち、本実施の形態でも、原稿１０の任意の４カ所（例えば四隅。但し、３カ所以上であれば良い。）に第１の基準点Ｐ１〜Ｐ４を設ける。さらに撮像部１５０内に搭載された撮像系の例えば撮像素子１５１における任意の４カ所（但し、３カ所以上であれば良い。）に第２の基準点Ｑ１〜Ｑ４を設ける。そして、第１の基準点Ｐ１と第２の基準点Ｑ１とを結び、同様に対応する基準点相互を結ぶ。これにより、ほぼ四角錐形状の立体Ｒ５−１が形成される。また、具体的な図示を省略するが、原稿１０が載置される読取台２０の上面の任意の４カ所（例えば原稿１０の四隅が配置される位置）に第３の基準点Ｓ１〜Ｓ４を設ける。そして、立体Ｒ５−１と同様に、第３の基準点Ｓ１〜Ｓ４と、対応する第２の基準点Ｑ１〜Ｑ４と、を結びＲ５−１'を形成する。但し、第３の基準点Ｓ１〜Ｓ４は、撮像系のピント位置等によって適宜、変更される。
【００７４】
この立体Ｒ５−１、Ｒ５−１'の形状はそれぞれ、原稿１０を縦に配置した際と、原稿１０を横に配置した際とで維持される。つまり、撮像系と原稿１０との相対的な位置関係が変わらない。このとき、読取台２０は、原稿１０の配置の変更前と変更後で、立体Ｒ５−１、Ｒ５−１'がそれぞれ等しくなるように、原稿１０の回転と合わせて回転させる。
【００７５】
これにより、画像読取装置１０４−１は、原稿１０に対して第２のアーム部１３０を左前方に配置した状態で、横に配置した原稿１０の全領域を画像として、撮像部１５０で読み取ることができる。しかも、撮像部１５０における撮像素子１５１の前後左右方向と原稿１０の前後左右方向とが一致している。そのため、読み取った画像の前後左右方向と原稿１０の前後左右方向とを一致させることができる。
【００７６】
さらに他の形態として、図１７に示すように、原稿１０に対して第２のアーム部１３０を右前方に配置する場合も、上述の原稿１０に対して第２のアーム部１３０を左前方に配置する場合と同様に、ベース部１１０内に原稿１０を配置する。そして、位置調整部１４０により第２のアーム部１３０を略水平方向に回転させて、第１のアーム部１２０をベース部１１０の第１辺１１１又は第２辺１１２と略平行に配置させる。さらに原稿１０の対角線の交点上に撮像部１５０を配置する。このとき、平面から見て撮像部１５０における撮像素子１５１の前後左右方向と原稿１０の前後左右方向とを略一致させることができる。このとき、立体Ｒ５−１の形状を維持するように、原稿１０と撮像部１５０における撮像素子１５１との配置関係が維持される。これにより、画像読取装置１０４−１は、原稿１０に対して第２のアーム部１３０を右前方に配置した状態で、縦又は横に配置した原稿１０の全領域を画像として、撮像部１５０で読み取ることができる。しかも、撮像部１５０における撮像素子１５１の前後左右方向と原稿１０の前後左右方向とが一致している。そのため、読み取った画像の前後左右方向と原稿１０の前後左右方向とを一致させることができる。
【００７７】
このように画像読取装置１０４−１も、当該画像読取装置１０４−１の左右の配置変換や原稿１０の縦横の配置変換に簡単に対応することができ、第１の実施の形態の画像読取装置と同様の効果を享受することができる。
【００７８】
特に、画像読取装置１０４−１は、第１のアーム部１２０と第３のアーム部１８０との連結部のみに水平回転許容部を設ければ、画像読取装置１０４−１の左右の配置変換や原稿１０の縦横の配置変換に対応することができ、第１乃至第４の実施の形態の画像読取装置に比べて構成を簡素化することができる。また、水平回転許容部の数を減らすことができるので、アーム部全体の剛性を高めることができる。
【００７９】
このような画像読取装置１０４−１の撮像部１５０で原稿１０を画像として読み取ると、やはり第１の実施の形態の画像読取装置と同様に、画像が台形や樽型等の形に歪む場合がある。そのため、本実施の形態でも、光学的に歪みを補正するか、ディジタル処理で歪みを補正する。
【００８０】
なお、第５の実施の形態の画像読取装置１０４−１では、第２のアーム部１３０がベース部１１０の角部から立設され、第３のアーム部１８０が原稿１０の一辺に対して約４５°の角度で配置されているが、この限りでない。第２のアーム部１３０は、図１８に例示する画像読取装置１０４−２のように、ベース部１１０の第２辺１１２から立設されていても良い。このような場合も、図１９に示すように原稿１０に対して第２のアーム部１３０を右側に配置して当該原稿１０を撮像する際には、第１の基準点と第２の基準点とを結んで形成される立体が、原稿１０に対して第２のアーム部１３０を左側に配置した際に形成される立体Ｒ５−２と等しくなるように、撮像部１５０を配置すれば良い。また、図１８に示すように原稿１０の配置の変更前と変更後で立体Ｒ５−２がそれぞれ等しくなるように撮像部１５０を配置すれば良い。
【００８１】
また、第５の実施の形態の画像読取装置１０４−１の撮像部１５０は、原稿１０の対角線の交点上に配置しているが、この限りでない。撮像部１５０は、図２０に例示する画像読取装置１０４−３のように、原稿１０の対角線の交点からずれた位置に配置されても良い。このような場合も、図２１に示すように原稿１０に対して第２のアーム部１３０を右側に配置して当該原稿１０を撮像する際には、第１の基準点と第２の基準点とを結んで形成される立体が、原稿１０に対して第２のアーム部１３０を左側に配置した際に形成される立体Ｒ５−３と等しくなるように、撮像部１５０を配置すれば良い。また、図２０に示すように原稿１０の配置の変更前と変更後で立体Ｒ５−３がそれぞれ等しくなるように撮像部１５０を配置すれば良い。
【００８２】
要するに、第５の実施の形態においては、少なくとも位置調整部１４０が直線Ｌ１とＬ２との交点上に配置され、原稿１０の配置の変更前と変更後、及び画像読取装置の第２のアーム部１３０を原稿１０に対して左側に配置する時と右側に配置する時とで立体の形状が維持されれば良い。
【００８３】
＜第６の実施の形態＞
本実施の形態の画像読取装置１０５は、図２２に示すように、第５の実施の形態の画像読取装置と略同様の構成とされているが、位置調整部１４０が配置される基準が異なる。
【００８４】
すなわち、図２２に示すように、平面から見て位置調整部１４０（即ち、第１のアーム部１０の一端部の回転中心（好ましくは回転軸））は、撮像部１５０の撮像領域を平面から見たときに形成される領域Ｒ１００内における所定の矩形領域Ｒ１１０（例えば第５の実施の形態のように原稿が配置される領域）の向かい合う辺の略中央位置相互を結ぶ直線Ｌ３と、当該矩形領域Ｒ１１０の一辺に対して約４５°の角度で延びる直線Ｌ４と、の略交点上に配置される。なお、矩形領域Ｒ１１０は、撮像される原稿の大きさや形状などに応じて、適宜設定される。ここで、領域Ｒ１００は、何ら遮られる物（第２のアーム部１３０等）が無い状態での撮像部１５０の撮像領域における所定の高さ位置の領域であり、当該領域は平面領域であることが好ましい。
【００８５】
具体的に云うと、図２２に示す画像読取装置１０５は、図１６に示す画像読取装置１０４−１と略同様の構成とされているが、第３のアーム部１８０の長さが、平面から見て他端部が矩形領域Ｒ１１０における向かい合う短辺の略中央位置相互を結ぶ直線Ｌ３上に配置されるように設定される。
【００８６】
そして、第１のアーム部１２０の長さは、位置調整部１４０により第１のアーム部１２０を略水平方向に回転させ、第１のアーム部１２０をベース部１１０の第１辺１１１又は第２辺１１２の一方の辺と平行に配置させた際に、平面から見て矩形領域Ｒ１１０の対角線の交点上に撮像部１５０が配置されるように設定されている。
【００８７】
これにより、領域Ｒ１００に対する矩形領域Ｒ１１０の設定位置が共通する限りにおいて、撮像部１５０を第１のアーム部１２０及び位置調整部１４０で移動させても、矩形領域Ｒ１１０の任意の４カ所（例えば四隅。但し、３カ所以上であれば良い。）に設けられる第１の基準点Ｐ１〜Ｐ４と、撮像部１５０内に搭載された撮像系の例えば撮像素子１５１における任意の４カ所（但し、３カ所以上であれば良い。）に設けられる第２の基準点Ｑ１〜Ｑ４と、をそれぞれ結んで形成される立体Ｒ６は、矩形領域Ｒ１１０の位置に応じて略等しい形状とすることができる。
【００８８】
つまり、矩形領域Ｒ１１０の位置に応じて撮像素子１５１の前後左右方向と、矩形領域Ｒ１１０の前後左右方向（例えば、本実施の形態では矩形領域Ｒ１１０の前側を第１の基準点Ｐ１、Ｐ２側、後側を第１の基準点Ｐ３、Ｐ４側、左側を第１の基準点Ｐ１、Ｐ３側、右側を第１の基準点Ｐ２、Ｐ４側とする。）とを一致させることができる。そのため、少なくとも矩形領域Ｒ１１０内において当該矩形領域Ｒ１１０の前後左右方向と原稿１０の前後左右方向とを等しく配置すると、読み取った画像の前後左右方向と原稿１０の前後左右方向とを一致させることができる。ここで、読み取った画像は領域Ｒ１００に対応するため、読み取った画像から原稿１０が撮像されている領域を抽出する。
【００８９】
なお、図２２では、原稿１０に対して第２のアーム部１３０を左側に配置した場合を説明したが、第５の実施の形態と同様に、原稿１０に対して第２のアーム部１３０を右側に配置しても、立体Ｒ６の形状を略等しく維持することができるため、少なくとも矩形領域Ｒ１１０内において原稿１０の前後左右方向を等しく配置すると、読み取った画像の前後左右方向と原稿１０の前後左右方向とを一致させることができる。
【００９０】
ちなみに、上述の説明では、図１６に示す画像読取装置１０４−１と略同様の構成の画像読取装置１０５を例示したが、図１８に示す画像読取装置１０４−２や図２０に示す画像読取装置１０４−３と略同様の構成とすることができるが、説明が重複するため省略する。
【００９１】
要するに、第６の実施の形態においては、少なくとも位置調整部１４０が直線Ｌ３とＬ４との交点上に配置され、位置調整部１４０の位置に関わらず立体Ｒ６の形状が維持されれば良い。
【００９２】
＜第７の実施の形態＞
本実施の形態の画像読取装置１０６は、図２３に示すように、第５の実施の形態の画像読取装置と基本的な思想を共有する。
【００９３】
すなわち、第１のアーム部１２０は、第１の延在部１２１と、第２の延在部１２２と、がくの字形状に連結されている。第１の延在部１２１の一端部は、第２のアーム部１３０の上端部に連結されている。第１の延在部１２１は、平面から見てベース部１１０の左右方向に延在する第１辺１１１又は前後方向に延在する第２辺１１２に対して約４５°の角度で配置されている。但し、ベース部１１０がＬ字形状でない場合、第１の延在部１２１は原稿１０の一辺に対して約４５°の角度で配置される。第１の延在部１２１は、略水平方向に延在する。第１の延在部１２１の長さは、平面から見て他端部が原稿１０における向かい合う短辺の略中央位置相互を結ぶ直線Ｌ１上に配置されるように設定されている。第１の延在部１２１の他端部は、第２の延在部１２２の一端部に連結されている。第１の延在部１２１は、当該第１の延在部１２１の軸方向への回転を許容する第１の軸回転許容部１９１を備える。第１の軸回転許容部１９１は、例えば第１の延在部１２１が分割されており、一方の分割片から軸方向にピンを突出させ、当該ピンを他方の分割片に形成した嵌合穴に差し込むことで、第１の延在部１２１を軸方向に回転可能な構成にする。このとき、第１の軸回転許容部１９１は、第１の延在部１２１の軸方向への回転を拘束する拘束機構を備えていることが好ましい。拘束機構は、例えば、他方の分割片の嵌合穴を成すフランジにネジを捻じ込み、当該ネジの先端部を一方の分割片のピンに押し付けることで、第１の延在部１２１の軸方向への回転を拘束することができる。これにより、第１のアーム部１２０の他端部に連結された撮像部１５０の位置が振られることなく、精度良く画像を取得することができる。
【００９４】
第２の延在部１２２の一端部は、第１の延在部１２１の他端部に連結されている。第２の延在部１２２の他端部には、撮像部１５０が連結されている。このとき、撮像部１５０における撮像素子１５１の前後方向が第２の延在部１２２の一端部から他端部に向かうように、撮像部１５０は第２の延在部１２２の他端部に固定される。撮像部１５０は、後述するように平面から見て原稿１０の対角線の交点上に配置された際に、原稿１０に対してピントが合うように構成されている。
【００９５】
第２の延在部１２２は、平面から見てベース部１１０の第１辺１１１又は第２辺１１２の一方の辺と平行に配置されている。第２の延在部１２２の長さは、原稿１０の対角線の交点上に撮像部１５０が配置されるように設定されている。なお、撮像部１５０は原稿１０の対角線の交点上に必ずしも配置する必要がなく、撮像系のレンズや反射鏡などの配置で適宜、設計される。そのため、各延在部の長さも、それに合わせて適宜、変更される。
【００９６】
第２の延在部１２２は、当該第２の延在部１２２の軸方向への回転を許容する第２の軸回転許容部１９２を備える。第２の軸回転許容部１９２は、例えば第２の延在部１２２が分割されており、一方の分割片から軸方向にピンを突出させ、当該ピンを他方の分割片に形成した嵌合穴に差し込むことで、第２の延在部１２２を軸方向に回転可能な構成にする。このとき、第２の軸回転許容部１９２は、第２の延在部１２２の軸方向への回転を拘束する拘束機構を備えていることが好ましい。拘束機構は、例えば、他方の分割片の嵌合穴を成すフランジにネジを捻じ込み、当該ネジの先端部を一方の分割片のピンに押し付けることで、第２の延在部１２２の軸方向への回転を拘束することができる。これにより、第１のアーム部１２０の他端部に連結された撮像部１５０の位置が振られることなく、精度良く画像を取得することができる。
【００９７】
このような構成の画像読取装置１０６は、図２３の実線で示すように、一形態として原稿１０に対して第２のアーム部１３０が左前方に配置されるように配置する。ここでは、平面から見て原稿１０を縦に配置する。このとき、自然と平面から見て撮像部１５０が原稿１０の対角線の交点上に配置され、且つ撮像部１５０における撮像素子１５１の前後左右方向と原稿１０の前後左右方向とを略一致させることができる。そのため、画像読取装置１０５は、原稿１０に対して第２のアーム部１３０を左前方に配置した状態で、縦に配置した原稿１０の全領域を画像として、撮像部１５０で読み取ることができる。しかも、撮像部１５０における撮像素子１５１の前後左右方向と原稿１０の前後左右方向とが一致している。そのため、読み取った画像の前後左右方向と原稿１０の前後左右方向とを一致させることができる。
【００９８】
他の形態として、図２３の破線で示すように、平面から見て原稿１０を横に配置する場合、第１の軸回転許容部１９１により第１の延在部１２１を軸方向に１８０°回転させ、第２の延在部１２２をベース部１１０の第１辺１１１と略平行に配置させる。これにより、撮像部１５０は、原稿１０の対角線の交点上に配置される。すなわち、第１の軸回転許容部１９１は、第１のアーム部１２０の先端部の位置調整部１４０として機能することになる。しかし、撮像部１５０は、裏表逆に配置されてしまう。そのため、第２の軸回転許容部１９２により第２の延在部１２２を軸方向に１８０°回転させ、撮像部１５０の裏表を修正する。すなわち、第２の軸回転許容部１９２は、撮像部１５０における撮像素子１５１の前後左右方向を補正する補正部１６０として機能することになる。このとき、平面から見て撮像部１５０が原稿１０の対角線の交点上に配置され、且つ撮像部１５０における撮像素子１５１の前後左右方向と原稿１０の前後左右方向とを略一致させることができる。すなわち、本実施の形態でも、原稿１０の任意の４カ所（例えば四隅。但し、３カ所以上であれば良い。）に第１の基準点Ｐ１〜Ｐ４を設ける。さらに撮像部１５０内に搭載された撮像系の例えば撮像素子１５１における任意の４カ所（但し、３カ所以上であれば良い。）に第２の基準点Ｑ１〜Ｑ４を設ける。そして、第１の基準点Ｐ１と第２の基準点Ｑ１とを結び、同様に対応する基準点相互を結ぶ。これにより、ほぼ四角錐形状の立体Ｒ７が形成される。また、具体的な図示を省略するが、原稿１０が載置される読取台２０の上面の任意の４カ所（例えば原稿１０の四隅が配置される位置）に第３の基準点Ｓ１〜Ｓ４を設ける。そして、立体Ｒ７と同様に、第３の基準点Ｓ１〜Ｓ４と、対応する第２の基準点Ｑ１〜Ｑ４と、を結びＲ７'を形成する。但し、第３の基準点Ｓ１〜Ｓ４は、撮像系のピント位置等によって適宜、変更される。
【００９９】
この立体Ｒ７、Ｒ７'の形状はそれぞれ、原稿１０を縦に配置した際と、原稿１０を横に配置した際とで維持される。つまり、撮像系と原稿１０との相対的な位置関係が変わらない。これにより、画像読取装置１０６は、原稿１０に対して第２のアーム部１３０を左前方に配置した状態で、横に配置した原稿１０の全領域を画像として、撮像部１５０で読み取ることができる。しかも、撮像部１５０における撮像素子１５１の前後左右方向と原稿１０の前後左右方向とが一致している。そのため、読み取った画像の前後左右方向と原稿１０の前後左右方向とを一致させることができる。
【０１００】
さらに他の形態として、図２４に示すように、原稿１０に対して第２のアーム部１３０を右前方に配置する場合も、上述の原稿１０に対して第２のアーム部１３０を左前方に配置する場合と同様に、ベース部１１０内に原稿１０を配置する。そして、必要に応じて第１及び第２の軸回転許容部１９１、１９２により第１及び第２の延在部１２１、１２２を軸方向に回転させて、平面から見て撮像部１５０における撮像素子１５１の前後左右方向と原稿１０の前後左右方向とを略一致させる。このとき、立体Ｒ７の形状を維持するように、原稿１０と撮像部１５０における撮像素子１５１との配置関係が維持される。これにより、画像読取装置１０５は、原稿１０に対して第２のアーム部１３０を右前方に配置した状態で、縦又は横に配置した原稿１０の全領域を画像として、撮像部１５０で読み取ることができる。しかも、撮像部１５０における撮像素子１５１の前後左右方向と原稿１０の前後左右方向とが一致している。そのため、読み取った画像の前後左右方向と原稿１０の前後左右方向とを一致させることができる。
【０１０１】
このように画像読取装置１０６も、当該画像読取装置１０６の左右の配置変換や原稿１０の縦横の配置変換に簡単に対応することができ、第１の実施の形態の画像読取装置と同様の効果を享受することができる。
【０１０２】
このような画像読取装置１０６の撮像部１５０で原稿１０を画像として読み取ると、やはり第１の実施の形態の画像読取装置と同様に、画像が台形や樽型等の形に歪む場合がある。そのため、本実施の形態でも、光学的に歪みを補正するか、ディジタル処理で歪みを補正する。
【０１０３】
＜第８の実施の形態＞
本実施の形態の画像読取装置１０７は、図２５に示すように、第７の実施の形態の画像読取装置と略同様の構成とされているが、撮像部１５０が配置される基準が異なる。
【０１０４】
すなわち、図２５に示すように、第１の延在部１２１の長さは、平面から見て他端部が撮像部１５０の撮像領域を平面から見たときに形成される領域Ｒ１００内における所定の矩形領域Ｒ１１０（例えば第７の実施の形態のように原稿が配置される領域）の向かい合う辺の略中央位置相互を結ぶ直線Ｌ３上に配置されるように設定されている。第２の延在部１２２の長さは、矩形領域Ｒ１１０の対角線の交点上に撮像部１５０が配置されるように設定されている。なお、矩形領域Ｒ１１０は、撮像される原稿の大きさや形状などに応じて、適宜設定される。ここで、領域Ｒ１００は、何ら遮られる物（第２のアーム部１３０等）が無い状態での撮像部１５０の撮像領域における所定の高さ位置の領域であり、当該領域は平面領域であることが好ましい。
【０１０５】
これにより、領域Ｒ１００に対する矩形領域Ｒ１１０の設定位置が共通する限りにおいて、撮像部１５０を第１及び第２の軸回転許容部１９１、１９２により移動させても、矩形領域Ｒ１１０の任意の４カ所（例えば四隅。但し、３カ所以上であれば良い。）に設けられる第１の基準点Ｐ１〜Ｐ４と、撮像部１５０内に搭載された撮像系の例えば撮像素子１５１における任意の４カ所（但し、３カ所以上であれば良い。）に設けられる第２の基準点Ｑ１〜Ｑ４と、をそれぞれ結んで形成される立体Ｒ８は、撮像部１５０の移動の前後で略等しい形状とすることができる。
【０１０６】
つまり、撮像部１５０の移動の前後で撮像素子１５１の前後左右方向と、矩形領域Ｒ１１０の前後左右方向（例えば、本実施の形態では矩形領域Ｒ１１０の前側を第１の基準点Ｐ１、Ｐ２側、後側を第１の基準点Ｐ３、Ｐ４側、左側を第１の基準点Ｐ１、Ｐ３側、右側を第１の基準点Ｐ２、Ｐ４側とする。）とを一致させることができる。そのため、少なくとも矩形領域Ｒ１１０内において当該矩形領域Ｒ１１０の前後左右方向と原稿１０の前後左右方向とを等しく配置すると、読み取った画像の前後左右方向と原稿１０の前後左右方向とを一致させることができる。ここで、読み取った画像は領域Ｒ１００に対応するため、読み取った画像から原稿１０が撮像されている領域を抽出する。
【０１０７】
なお、図２５では、原稿１０に対して左側に配置した場合を説明したが、第７の実施の形態と同様に、原稿１０に対して右側に配置しても、立体Ｒ８の形状を略等しく維持することができるため、少なくとも矩形領域Ｒ１１０内において当該矩形領域Ｒ１１０の前後左右方向と原稿１０の前後左右方向とを等しく配置すると、読み取った画像の前後左右方向と原稿１０の前後左右方向とを一致させることができる。
【０１０８】
本発明は上記実施の形態に限られたものではなく、趣旨を逸脱しない範囲で適宜変更することが可能である。
上記実施の形態では、ベース部１１０をＬ字形状としたが、形状は特に限定されない。
上記実施の形態では、位置調整部１４０を第１のアーム部１２０と第２のアーム部１３０との連結部に設けたが、第１のアーム部１２０とベース部１１０との連結部に設けても、同様に実施することができる。
【０１０９】
上記実施の形態では、位置調整部１４０や補正部１６０は略水平方向に３６０°回転を許容する構成とされているが、所定の位置に第１のアーム部１２０や撮像部１５０が配置されるように、構成されていれば良い。例えば、第１のアーム部１２０が所定の位置に配置されるように、第２のアーム部１３０の上端部に第１のアーム部１２０の一端部が嵌め込み可能な構成とされていても良い。
【０１１０】
上記実施の形態では、ネジをピンに押し付けることで水平回転許容部や軸回転許容部の回転を拘束する拘束機構を構成しているが、例えばピンと嵌合穴との間に緩衝材等を挿入することで、相互の動きを拘束する構成でも良い。要するに、拘束機構は、水平回転許容部や軸回転許容部の回転を良好に拘束することができれば良い。
【０１１１】
上記実施の形態では、水平回転許容部や軸回転許容部をピンと嵌合穴とで構成したが、この限りでない。すなわち、水平回転許容部や軸回転許容部は、一般的に用いられる回転を許容する構成であれば良い。
【０１１２】
上記実施の形態では、読取台２０の上面に原稿１０を載置して、画像を読み取っているが、読取台２０を省略しても良い。例えば、起伏のない平面で原稿１０を撮像する場合などが想定できる。
【０１１３】
上記実施の形態では、第１のアーム部１２０を略水平方向に配置しているが、平面から見て水平方向に配置していれば良い。つまり、第１のアーム部１２０を側方から見た場合、湾曲した形状であっても良い。
【０１１４】
要するに、原稿１０に対して第２のアーム部１３０を右側及び左側に配置した際に立体の形状を維持でき、且つ原稿１０の配置の変更前と変更後で立体の形状がそれぞれ等しくなるように、各アーム部の配置や長さ、位置調整部１４０や撮像部１５０の配置位置等は適宜設定すれば良い。
【０１１５】
ちなみに、上述のように立体を崩さない、即ち撮像系と原稿との相対的な配置が変わらないように構成する思想に基づいて、例えば右置きタイプを設計すると、同一の部材を用いて簡単に左置きタイプを設計することができる。
【符号の説明】
【０１１６】
１０  原稿
２０  読取台
１００−１、１００−２、１００−３、１００−４、１０１、１０２、１０３、１０４−１、１０４−２、１０４−３、１０５、１０６、１０７  画像読取装置
１１０  ベース部、１１１  第１辺、１１２  第２辺
１２０  第１のアーム部、１２１  第１の延在部、１２２  第２の延在部
１３０  第２のアーム部
１４０  位置調整部
１５０  撮像部、１５１  撮像素子、１５２  レンズ
１６０  撮像部
１７０  制御部、１７１  記憶部
１８０  第３のアーム部
１９１  第１の軸回転許容部
１９２  第２の軸回転許容部
【図１】
0005866799.tif 000002
【図２】
0005866799.tif 000003
【図３】
0005866799.tif 000004
【図４】
0005866799.tif 000005
【図５】
0005866799.tif 000006
【図６】
0005866799.tif 000007
【図７】
0005866799.tif 000008
【図８】
0005866799.tif 000009
【図９】
0005866799.tif 000010
【図１０】
0005866799.tif 000011
【図１１】
0005866799.tif 000012
【図１２】
0005866799.tif 000013
【図１３】
0005866799.tif 000014
【図１４】
0005866799.tif 000015
【図１５】
0005866799.tif 000016
【図１６】
0005866799.tif 000017
【図１７】
0005866799.tif 000018
【図１８】
0005866799.tif 000019
【図１９】
0005866799.tif 000020
【図２０】
0005866799.tif 000021
【図２１】
0005866799.tif 000022
【図２２】
0005866799.tif 000023
【図２３】
0005866799.tif 000024
【図２４】
0005866799.tif 000025
【図２５】
0005866799.tif 000026